(57)【特許請求の範囲】
【請求項１】
車体フレーム上に、後壁に塵芥積込口を有する塵芥収容箱が搭載され、該塵芥収容箱の塵芥積込口に塵芥投入箱が連設されており、上記塵芥投入箱には、上記塵芥積込口の上部を塞ぐ仕切板と、該仕切板の後側に設けられた昇降可能な可動板と、該可動板の下端に設けられた車体前後方向に揺動可能な押込板とが装備され、上記塵芥投入箱の投入口から底部に投入された塵芥を、上記可動板を下降させた状態で後方から前方へ揺動する押込板により掻き集め、その掻き集めた塵芥を可動板の上昇移動により上記塵芥積込口を経て上記塵芥収容箱に押し込んで収容するように構成された塵芥収集車において、
上記仕切板と可動板との間に昇降可能に設けられ、上記塵芥積込口の下部を覆う下降位置と、塵芥積込口の下部を開放状態に保つ上昇位置との間を移動する該可動仕切板と、
上記塵芥収容箱に押し込まれる塵芥が塵芥投入箱に逆流するようなプラスチック容器、空びん・空缶類などである場合には、塵芥の逆流を防止するよう塵芥積込口の下部を覆う下降位置と上記塵芥収容箱に塵芥を押し込むよう可動板を上昇移動させる際に塵芥積込口の下部を開放状態に保つ上昇位置との間で上記可動仕切板を昇降移動させる可動動作モードと、上記塵芥収容箱に押し込まれる塵芥が塵芥投入箱に逆流しないようなダンボール、粗大ごみなどである場合には、常に上記可動仕切板を上昇位置に停止させる停止モードとに可動仕切板の作動モードを択一的に切換える制御手段とを備えていることを特徴とする塵芥収集車。
【発明の詳細な説明】
【０００１】
【発明の属する技術分野】
本発明は、塵芥収集車において塵芥投入箱の投入口から底部に投入された塵芥を塵芥収容箱に押し込むときに、塵芥投入箱内へ逆流し易いプラスチック容器、空びん・空缶類などの塵芥と、逆流し難いダンボール、粗大ごみなどの塵芥とを共に効率良く積み込めるようにする対策に係る。
【０００２】
【従来の技術】
一般に、塵芥収集車は、その車体フレーム上に、後壁に塵芥積込口を有する塵芥収容箱が搭載され、該塵芥収容箱の塵芥積込口に塵芥投入箱が連設されてなる。該塵芥投入箱は、上記塵芥収容箱の後面上端の枢軸を支点にして車体前後方向に揺動自在に支持されている。そして、この塵芥投入箱の内部には塵芥積込装置が収容されている。該塵芥積込装置は、昇降可能な可動板を備えていると共に、該可動板の下端に車体前後方向に揺動可能な押込板を備え、上記塵芥投入箱の投入口から底部に投入された塵芥を、上記可動板を下降させた状態で後方から前方へ揺動する押込板により掻き集めた後、その掻き集めた塵芥を、可動板の上方への上昇動作により上記塵芥積込口を経て上記塵芥収容箱内に押し込むことで、この塵芥収容箱内に設けられた車体前後方向へ移動可能な排出板を前方へ移動させながら塵芥の収容を行うようにしている。
【０００３】
また、その他の塵芥収集車としては、上記塵芥積込装置とは機構の異なる塵芥積込装置が塵芥投入箱の内部に収容されているものもある。このタイプの塵芥積込装置は、塵芥積込口に対向して配された仕切板と、該仕切板の下側で車体前後方向に揺動する押込板と、該押込板の下端付近に回転中心を有して回転する回転板とを備えて構成される。そして、上記塵芥投入箱の投入口から底部に投入された塵芥を上記回転板の後方から前方への下回りの回転により掻き集め、その掻き集めた塵芥を、上記塵芥積込口に対応する対応位置にて回転板を停止させた状態で後方から前方へ揺動する押込板により塵芥積込口を経て上記塵芥収容箱に押し込むことで、同様に排出板を前方移動させながら塵芥の収容を行うようにしている。
【０００４】
ところで、塵芥の種類のうち、プラスチック空容器や空びん・空缶類などの塵芥が、袋詰めされずにバラの状態で塵芥投入箱に投入されることがある。その場合、このような塵芥を押込板により塵芥収容箱に押し込んでも該押込板が後方へ揺動し始めると、それに伴って押し込んだ塵芥の大半が塵芥投入箱に逆流することになる。これは、プラスチック空容器や空びん・空缶類などの塵芥が、押込板により塵芥収容箱に押し込んだ程度では潰れ難く、塵芥同士が互いに絡み合わないためであり、このような塵芥の場合には押込板による押込効率が著しく悪化するといった問題がある。
【０００５】
そこで、このような問題を解決するために、例えば、特開昭５０−９４６２４号公報に開示されるように、塵芥積込口に、塵芥が逆流しないように昇降可能に塵芥積込口を覆う塵芥逆戻り防止板を備えたものがある。この塵芥逆戻り防止板は、塵芥積込口の下部を覆う下降位置と、塵芥積込口の下部を開放状態に保つ上昇位置との間を移動するように支持され、上記塵芥積込装置の押込板などの動作と連動して昇降移動するよう複数のリンク等を介して連結されている。具体的には、塵芥を塵芥収容箱に押込んだ状態から押込板が後方へ揺動すると、塵芥逆戻り防止板が下降位置まで下降して塵芥積込口を覆うことで塵芥の塵芥投入箱への逆流を防止するようにしている一方、押込板が下降状態で後方から前方へ揺動して塵芥投入箱底部の塵芥を掻き集めてから該押込板が上昇移動すると、塵芥逆戻り防止板も上昇移動して塵芥積込口を開放させ、これによって該塵芥積込口を経た塵芥の押し込みを行えるようにしている。
【０００６】
【発明が解決しようとする課題】
ところが、上記従来のものでは、塵芥逆戻り防止板としての可動仕切板が塵芥積込装置つまり押込板などの動作と常に連動して昇降動作するので、プラスチック空容器や空びん・空缶類など逆流する塵芥の回収効率を図る上では有効であるが、その他の種類の塵芥、たとえばダンボールや粗大ごみなどを回収する場合には、下記に示すような不具合がある。
【０００７】
すなわち、ダンボールや粗大ごみなどは非常に嵩張る塵芥であるため、塵芥積込口の開口面を大きく確保しておく必要がある。しかし、可動仕切板は、押込板の上昇移動と連動して開放するように構成されているために、押込板により塵芥を掻き集めた状態では未だ可動仕切板が下降位置にあり、この下降位置の可動仕切板に押込板の掻き集め動作により前方へ移動したダンボールや粗大ゴミが干渉する。このため、ダンボールや粗大ゴミとの干渉によって、可動仕切板の昇降動作がスムーズに行われず塵芥の押込作業性が悪化したり、可動仕切板が破損する恐れがあり、最悪の場合にはそれ以降の押込作業がストップすることになる。その場合、ダンボールや粗大ゴミとの干渉を考慮して可動仕切板を補強して剛性強度を高くすることも考えられるが、このような補強を加えたところで、ダンボールや粗大ゴミが可動仕切板に干渉することに変わりはなく、これらの塵芥の経時的な度重なる干渉により可動仕切板に何らかの支障が生じることも否めず、可動仕切板を補強したとしても該可動仕切板が故障すれば、可動仕切板を補強すること自体が結果的には無駄なコストアップを招くこととなる。
【０００８】
しかも、プラスチック空容器、空びん・空缶類などとは種類の異なるダンボールや粗大ゴミなどの塵芥を回収できないものでは、それぞれ塵芥の種類に適した塵芥収集車を複数台用意しなければならず、塵芥収集車の維持費および経費が大幅に嵩さむことになる。
【０００９】
本発明はかかる点に鑑みてなされたもので、その目的とするところは、単一の塵芥収集車により、逆流し易い塵芥の塵芥投入箱への逆流を防止しかつ逆流し難く嵩張る塵芥の塵芥投入箱への押し込みが円滑に行えるようにし、塵芥の押込作業性の向上を図るとともに、可動仕切板の補強を不要にしたコストダウン、並びに塵芥収集車の維持費および経費の大幅な節減を図らんとするものである。
【００１０】
【課題を解決するための手段】
上記目的を達成するため、請求項１記載の発明が講じた解決手段は、車体フレーム上に、後壁に塵芥積込口を有する塵芥収容箱が搭載され、該塵芥収容箱の塵芥積込口に塵芥投入箱が連設されており、上記塵芥投入箱には、上記塵芥積込口の上部を塞ぐ仕切板と、該仕切板の後側に設けられた昇降可能な可動板と、該可動板の下端に設けられた車体前後方向に揺動可能な押込板とが装備され、上記塵芥投入箱の投入口から底部に投入された塵芥を、上記可動板を下降させた状態で後方から前方へ揺動する押込板により掻き集め、その掻き集めた塵芥を可動板の上昇移動により上記塵芥積込口を経て上記塵芥収容箱に押し込んで収容するように構成された塵芥収集車を前提とする。
【００１１】
そして、上記仕切板と可動板との間に昇降可能に設けられ、上記塵芥積込口の下部を覆う下降位置と、塵芥積込口の下部を開放状態に保つ上昇位置との間を移動する該可動仕切板と、上記塵芥収容箱に押し込まれる塵芥が塵芥投入箱に逆流するようなプラスチック容器、空びん・空缶類などである場合に、塵芥の逆流を防止するよう塵芥積込口の下部を覆う下降位置と上記塵芥収容箱に塵芥を押し込むよう可動板を上昇移動させる際に塵芥積込口の下部を開放状態に保つ上昇位置との間で上記可動仕切板を昇降移動させる可動動作モードと、上記塵芥収容箱に押し込まれる塵芥が塵芥投入箱に逆流しないようなダンボール、粗大ごみなどである場合に、常に上記可動仕切板を上昇位置に停止させる停止モードとに可動仕切板の作動モードを択一的に切換える制御手段とを備える構成としたものである。
【００１２】
この構成により、請求項１記載の発明では、塵芥収容箱に押し込まれる塵芥が塵芥押込時に塵芥積込口を経て塵芥投入箱に逆流するようなプラスチック空容器、空びん・空缶類などである場合、制御手段が可動動作モードに切換えられ、可動仕切板は、塵芥収容箱に塵芥を押し込むよう可動板を上昇移動させる際には塵芥積込口の下部を開放状態に保つ上昇位置に位置付けられる一方、塵芥の逆流を防止するとき、つまり可動板により塵芥を塵芥収容箱に押し込まないときには、塵芥積込口の下部を覆う下降位置に位置付けられる。
【００１３】
具体的には、塵芥を押込板により塵芥収容箱に押込んだ状態から該押込板が後方へ揺動すると、可動仕切板が上昇位置から下降位置まで下降して塵芥積込口を覆い、塵芥の塵芥投入箱への逆流を防止できるようにしている。その後、押込板を上昇位置のまま後方へ揺動させてから、該押込板を可動板により下降させて後方から前方へ揺動させて塵芥投入箱底部の塵芥を掻き集めるまでの間、可動仕切板が下降位置に位置付けられる。しかる後、押込板を可動板により上昇移動させると、可動仕切板が下降位置から上昇位置に上昇移動し、押込板の上昇位置で可動仕切板を上昇位置に位置付けて塵芥積込口を開放させ、該塵芥積込口を経た塵芥の押込みを行えるようにしている。
【００１４】
一方、塵芥収容箱に押し込まれる塵芥が塵芥押込時に塵芥積込口を経て塵芥投入箱に逆流しないようなダンボール、粗大ごみなどである場合、制御手段が停止モードに切換えられ、可動仕切板は常に仕切板と可動板との間の上昇位置にて停止する。このため、塵芥積込口の開口面は常時大きく開放しており、押込板によってダンボールや粗大ごみなどのような非常に嵩張る塵芥が押込板の掻き集め動作により前方へ移動しても可動仕切板にダンボールや粗大ゴミが干渉することがなく、このような塵芥の押込作業がストップすることなく円滑に行える上、可動仕切板の破損を考慮して補強するなどして無駄なコストアップを招くこともない。
【００１５】
しかも、単一の塵芥収集車により、プラスチック空容器や空びん・空缶類などの塵芥や、ダンボールや粗大ゴミなどの塵芥もその種類に応じた可動仕切板のモード切換えにより円滑に回収され、それぞれ塵芥の種類に適した塵芥収集車を複数台用意する必要もなく、塵芥収集車の維持費および経費が大幅に節減される。
【００１６】
【発明の実施の形態】
以下、本発明の実施の形態を図面に基づいて説明する。
【００１７】
図１ないし図４は本発明の第１の実施形態に係る塵芥収集車を示し、この塵芥収集車１の下部左右両位置には車体前後方向へ延びる車体フレームとしての断面略矩形枠状のシャーシフレーム２（図では一方のみ示す）が設けられ、該シャーシフレーム２上には、断面略矩形枠状のサブフレーム３が設けられている。該サブフレーム３上には塵芥収容箱４が搭載され、該塵芥収容箱４の後面には塵芥を積込むための塵芥積込口４ａが開口されている。また、上記塵芥収容箱４の後面側には塵芥投入箱６が連設されている。
【００１８】
上記塵芥収容箱４上端の左右両側端位置には収容箱側揺動用ヒンジブラケット７（図では一方のみ示す）が設けられている。また、上記塵芥投入箱６上端の左右両側端位置には投入箱側揺動用ヒンジブラケット８（図では一方のみ示す）が設けられている。上記収容箱側揺動用ヒンジブラケット７の先端間には、投入箱側揺動用ヒンジブラケット８の先端が第１軸５を介して回動自在に支持されていて、塵芥投入箱６が塵芥収容箱４に対して後方へ下開きして揺動するようになっている。そして、上記塵芥投入箱６は、塵芥積込口４ａを閉塞するよう塵芥収容箱４に対して左右一対の固縛装置（図示せず）により固縛されている。
【００１９】
上記塵芥投入箱６は、その車体前方側が開放されて塵芥収容箱４の塵芥積込口４ａに連通されるとともに、後面下部に塵芥を投入する投入口１１が開口され、その下方に塵芥の貯留室１２が形成されている。この塵芥投入箱６内には、塵芥を押し潰して塵芥収容箱４内に積込む圧縮式の塵芥積込装置１３が装備されている。該塵芥積込装置１３は、塵芥投入箱６の左右両側壁に沿って敷設され、車体の後方下部に向って傾斜する溝形鋼よりなる案内溝部材１４（図では一方のみ示す）を備えており、該案内溝部材１４はその上端部が上記第１軸５に枢支されている。一方、塵芥投入箱６内には、その全幅に亘って形成された可動板１５が収納されていて、この可動板１５の上下には、上記案内溝部材１４の内壁に沿って転動自在に嵌合される案内ローラ１６，１６が回動自在に支持されている（図中破線で示す部位）。また、昇降板１５の後面上部には第２軸１７が軸支されており、この第２軸１７は上記案内溝部材１４の後面に沿うとともに、可動板１５の摺動距離に合致するように塵芥投入箱６の側壁に形成された切欠（図示せず）を越えて塵芥投入箱６内側より外側に突出するようになされている。そして、図中破線で示す如く、外側に突出した第２軸１７と塵芥投入箱６の下部外側間には、一対の昇降シリンダ１９が案内溝部材１４の傾斜方向に沿って設けられていて、この昇降シリンダ１９の伸縮作動により、上記可動板１５を案内溝部材１４に沿って昇降移動させるようになされている。
【００２０】
また、上記可動板１５の下端には、塵芥投入箱６の幅方向全体に亘って延設された押込板２１が車体前後方向に揺動自在に軸支されるとともに、該押込板２１の後面より突出した支持片２２と上記昇降シリンダ１９先端の第２軸１７との間には、一対の押込シリンダ２３が連結されていて、該押込シリンダ２３の伸縮作動により、押込板２１をその軸支部２４の回りに前後に揺動させるようになされている。これにより、塵芥投入箱６の投入口１１から貯留室１２（底部）に投入された塵芥は、上記昇降シリンダ１９の収縮により可動板１５を下降位置（図２に示す位置）に下降させた状態で押込シリンダ２３の伸長により後方位置（図２に示す位置）から前方位置（図３に示す位置）まで揺動する押込板２１により掻き集められた後、その掻き集めた塵芥が、図４に示すように昇降シリンダ１９の伸長により可動板１５を上方へ上昇移動させることで、塵芥積込口４ａから塵芥収容箱４内（後述する塵芥収容空間２７ａ内）に押し込まれる。
【００２１】
上記塵芥収容箱４は、その横断面全体に亘って設けられた排出板２６によって、上記押込板２１により塵芥積込口４ａを経て押し込まれた塵芥を収容する塵芥収容空間２７ａとその前方空間２７ｂとに区画されており、該前方空間２７ｂの下部には、排出板２６を車軸方向に移動させるための排出シリンダ（図示せず）が設けられている。該排出シリンダは、その伸長時に排出板２６を塵芥収容箱４の塵芥積込口４ａに近接させて塵芥収容空間２７ａの容積を最小にする一方、収縮時に塵芥収容空間２７ａの容積を増大変更するようになされている。この場合、塵芥は、押込板２１の押込動作により排出板２６との間で圧縮され、この圧縮した塵芥を介した押込板２１の押込力により排出シリンダを収縮させつつ排出板を前方へ移動させることで、塵芥収容空間２７ａを拡大させて順次塵芥収容箱４内に収容されるようになっている。
【００２２】
さらに、上記塵芥投入箱６には仕切板としての遮蔽板２９が設けられている。該遮蔽板２９は、可動板１５の前面に沿って塵芥投入箱６の左右両側壁間に横設され、上記可動板１５の上昇位置（図４に示す位置）においてその前面に対応する上記塵芥積込口４ａの上部が遮蔽されている。
【００２３】
そして、本発明の特徴部分として、上記遮蔽板２９と可動板１５との間には昇降可能な可動仕切板３１が設けられている。該可動仕切板３１は、遮蔽板２９下部の背面に沿って塵芥投入箱６の幅方向全体に亘って延設され、上端が塵芥投入箱６の左右両側壁にそれぞれ軸支された左右一対の伸縮シリンダ３２の下端に連結されている。この可動仕切板３１は、上記各伸縮シリンダ３２の伸縮動作により、上記塵芥積込口４ａの下部を覆う下降位置と、塵芥積込口４ａの下部を開放状態に保つ上昇位置との間を上下方向に変位量Ｘ分移動するようになっている。この場合、変位量Ｘは、たとえば、遮蔽板２９下方での塵芥積込口４ａ下部の上下方向での開口高さの略三分の二程度に相当する。
【００２４】
また、上記可動仕切板３１は、上記可動板１５および押込板２１の動作と連動して上昇位置と下降位置との間で昇降移動する可動動作モードと、上記可動板１５および押込板２１の動作とは非連動で上昇位置に停止する停止モードとに切換えられるようになっている。そして、この可動仕切板３１の２つの作動モードは、制御手段としてのコントローラ３３により、塵芥収容箱４に押し込まれる種類の異なる塵芥、つまり塵芥収容箱４に押し込んでも塵芥投入箱６に逆流するようなプラスチック容器や空びん・空缶類などの塵芥Ｇと、塵芥収容箱４に押し込めば塵芥投入箱６に逆流しないようなダンボールや粗大ごみなどの塵芥（図示せず）とに応じて択一的に切換えられるように構成されている。このコントローラ３３からの信号は、上記昇降シリンダ１９、押込シリンダ２３および伸縮シリンダ３２に入力されて該各シリンダ１９，２３，３２を適宜伸縮作動させるようにしている。
【００２５】
ここで、塵芥収容箱４に押し込まれる塵芥が塵芥投入箱６に逆流するようなプラスチック容器、空びん・空缶類などである場合と、塵芥収容箱４に押し込まれる塵芥が塵芥投入箱６に逆流しないようなダンボール、粗大ごみなどである場合との互いに種類の異なる塵芥に応じて切換えられる２つの作動モードでのコンローラ３３による各シリンダ１９，２３，３２の伸縮作動、つまり可動板１５，押込板２１および可動仕切板３１の動作について説明する。
【００２６】
先ず、塵芥積込時、塵芥投入箱６の貯留室１２に投入口１１から投入されて塵芥収容箱４に押し込まれる塵芥が塵芥投入箱６に逆流するようなプラスチック空容器、空びん・空缶類などである場合、可動仕切板３１の作動モードをコントローラ３３により可動動作モードに切換える。この可動動作モードへの切換えにより、可動板１５、押込板２１および可動仕切板３１を可動動作モードで制御する。
【００２７】
具体的には、塵芥Ｇを押込板２１により塵芥収容箱４に押込んだ状態（図４に示す状態）から、図１に示すように、該押込板２１を押込シリンダ２３の収縮作動により後方へ揺動させると、伸縮シリンダ３２が伸長作動して可動仕切板３１が下降位置まで下降し、この下降位置において塵芥積込口４ａの下部を覆う。これにより、プラスチック空容器、空びん・空缶類などの逆流し易い塵芥Ｇの塵芥投入箱６への逆流を防止できるようにしている。次いで、押込板２１を押込シリンダ２３の伸長作動により上昇位置のまま後方位置（図１に示す位置）まで後方へ揺動させてから、該押込板２１を、昇降シリンダ１９の伸長作動により可動板１５と共に下降位置（図２に示す位置）まで下降させたのち押込シリンダ２３の伸長作動により後方位置から前方位置（図３に示す位置）まで前方へ揺動させて貯留室１２の塵芥Ｇを掻き集めるまでの間、可動仕切板３１を下降位置に位置付けておく。しかる後、押込板２１を、昇降シリンダ１９の収縮作動により可動板１５に伴い上昇移動させると、伸縮シリンダ３２が収縮作動して可動仕切板３１が下降位置から上昇位置（図４に示す位置）に上昇移動し、押込板２１の上昇位置（図４に示す位置）で可動仕切板３１を上昇位置に位置付けて塵芥積込口４ａの下部を開放させ、該塵芥積込口４ａを経た塵芥Ｇの押込みを行えるようにしている。
【００２８】
一方、塵芥積込時、塵芥投入箱６の貯留室１２に投入口１１から投入されて塵芥収容箱４に押し込まれる塵芥が塵芥投入箱６に逆流しないようなダンボール、粗大ごみなどである場合、可動仕切板３１の作動モードをコントローラ３３により停止モードに切換える。この停止モードへの切換えにより、可動板１５、押込板２１、および可動仕切板３１を停止モードで制御し、可動仕切板３１を可動板１５および押込板２１の伸縮作動とは非連動にして遮蔽板２９と可動板１５との間の上昇位置に可動仕切板３１を停止させておく。このため、塵芥積込口４ａ下部の開口面は常に大きく開放しており、可動板１５の下降位置において押込板２１を押込シリンダ２３の伸長作動により後方位置から前方位置に揺動させて掻き集めた塵芥がダンボールや粗大ごみなどのような非常に嵩張るようなものであったとしても、このような塵芥が押込板２１の掻き集め動作により前方へ移動した際に可動仕切板３１に干渉することがなく、押込板２１を昇降シリンダ１９の収縮作動により可動板１５に伴い上昇移動させて塵芥を押し込む塵芥の押込作業をストップさせることなく円滑に行うことができる上、可動仕切板３１の破損を考慮して補強するなどする必要もなく無駄なコストアップを廃止してコストダウンを図ることができる。
【００２９】
しかも、単一の塵芥収集車１により、プラスチック空容器や空びん・空缶類などの塵芥Ｇや、ダンボールや粗大ゴミなどの塵芥もその塵芥の種類に応じたコントローラ３３による可動仕切板３１の制御により円滑に回収され、それぞれ塵芥の種類に適した塵芥収集車を複数台用意する必要もなくなり、塵芥収集車１の維持費および経費を大幅に節減することができる。
【００３０】
さらに、可動仕切板３１を伸縮シリンダ３２の伸縮作動により昇降移動させたので、可動仕切板を昇降移動させる上で複数のリンク等を必要とはせず、構造の簡単化を図ることができる上、部品点数も大幅に削減されて安価に構成できる。また、既存の塵芥収集車に可動仕切板３１を設けるに当たり伸縮シリンダ３２を別途設けるだけで良く、大幅な設計変更を不要にして可動仕切板３１の汎用性の向上を図ることができる。
【００３１】
次に、参考例を図５ないし図９に基づいて説明する。
【００３２】
この参考例では、塵芥積込装置の構成を変更している。
【００３３】
すなわち、本形態では、図５ないし図９に示すように、塵芥投入箱６の前部には仕切板４１が設けられ、該仕切板４１は、塵芥積込口４ａに対向するよう塵芥投入箱６の左右両側壁間に横設されている。上記仕切板４１の下側には、回転式の塵芥積込装置４０が設けられている。該塵芥積込装置４０は押込板４２および回転板４７を備えている。上記押込板４２は、上記仕切板４１の下側において塵芥投入箱６の幅方向全体に亘って延設されている。この押込板４２の上部は、塵芥投入箱６の左右両側壁の中央付近に軸４３を介して回動自在に支持されている。上記押込板４２には、その軸４３よりも上方（仕切板４１の背面側）に延びる延設部分４４が設けられ、該延設部分４４の先端には左右一対の押込シリンダ４５の先端が連結されている。該押込シリンダ４５は、その基端が第１軸５に回動自在に支持され、この押込シリンダ４５の伸縮作動により、押込板４２を軸４３回りに車体前後方向に揺動させるようになされている。
【００３４】
一方、図９に示すように、上記回転板４７は、上記押込板４２の下側に設けられ、この押込板４２の下端付近に回転軸４７ａ（回転中心）を有し、断面略半円弧状に形成された貯留室４６の底壁に倣って回転軸４７ａ回りに回転するようになされている。上記回転板４７の回転軸４７ａは、図示しない正逆回転可能な左右一対のモータの両軸に減速機構を介して駆動連結され、この両モータにより回転力がトルクアップされた状態で、該各モータと同様に正逆回転するようになっている。そして、塵芥投入箱６の投入口１１から貯留室４６に投入された塵芥は、図９に示すように、回転板４７の後方から前方への下回りの正回転により掻き集められ、その掻き集められた塵芥は、先端が塵芥積込口４ａの下縁に対応する対応位置（図６に示す位置）において回転板４７を停止させた状態で押込シリンダ４５の伸長作動によって後方位置（図６に示す位置）から前方位置（図７に示す位置）へ揺動する押込板４２により、塵芥積込口４ａを経て塵芥収容箱４内に押し込まれる。この場合、回転板４７は、押込板４２が前方位置つまり塵芥押込位置（図７に示す位置）に位置していれば、図８に示すように、対応位置（前方）から後方へ上回りに正回転しても押込板４２との干渉が回避されるようになっている。
【００３５】
そして、上記仕切板４１は、投入箱側揺動用ヒンジブラケット８より下方に延びる延設ブラケット（図示せず）に軸５１を介して回動自在に支持され、この軸５１が図示しない正逆回転可能なモータに回転一体に連結されて、このモータの正逆回転時に仕切板４１が車体前後方向に揺動するようになっている。この仕切板４１は、押込板４２により塵芥収容箱４に押し込んだ状態で仕切板４１と対向する塵芥Ｇの対向面Ｇａ（背面）が排出板２６下部の傾斜面に対して安息角α（図７および図８に表れる）に傾斜するよう前側に進出して塵芥の逆流を防止する逆流防止位置（図に示す二点鎖線位置）と、排出板２６下部の傾斜面に対してほぼ平行に傾斜するよう後側に退去する通常位置（図に示す実線位置）との２位置間で進退移動するように構成されている。この仕切板４１の２つの位置は、図示しない切換スイッチにより、塵芥投入箱６の貯留室１２に投入される互いに種類の異なる塵芥、つまり塵芥収容箱４に押し込んでも塵芥投入箱６に逆流するようなプラスチック容器や空びん・空缶類などの塵芥Ｇである場合には逆流防止位置に、塵芥収容箱４に押し込めば塵芥投入箱６に逆流しないようなダンボールなどの塵芥である場合には通常位置にそれぞれ択一的に位置変更されるようになっている。つまり、切換スイッチにより仕切板４１が通常位置に位置付けられているときにはダンボールなどの塵芥が塵芥収容箱４に押し込まれるようになっており、この状態では、仕切板４１はダンボールなどの塵芥の対向面よりも後側に退去している。
【００３６】
また、上記回転板４７は、その先端が塵芥積込口４ａの下縁に対応する対応位置よりも上方の上方位置（図５に示す位置）まで正回転する正回転動作と、この上方位置から逆回転して対応位置に停止する逆回転動作とが行われるように構成されている。この回転板４７は、切換スイッチにより、通常通り対応位置まで正回転して停止する正回転停止動作と、上方位置までの予圧縮動作（正回転動作）および対応位置までの逆回転動作とが択一的に設定される。具体的には、回転板４７は、塵芥収容箱４に押し込んでも塵芥投入箱６に逆流するようなプラスチック容器や空びん・空缶類などの塵芥Ｇである場合には、切換スイッチの切換えによって回転板４７の予圧縮動作（正回転動作）および該予圧縮動作に連続する逆回転動作が設定される一方、塵芥収容箱４に押し込めば塵芥投入箱６に逆流しないようなダンボールなどの塵芥である場合には、正回転停止動作が設定される。尚、塵芥積込装置を除くその他の構成は上記第１の実施形態の場合と同じであり、同一の部分については同一の符号を付してその詳細な説明を省略する。
【００３７】
ここで、塵芥収容箱４に押し込まれる塵芥が塵芥投入箱６に逆流するようなプラスチック容器、空びん・空缶類などである場合と、塵芥収容箱４に押し込まれる塵芥が塵芥投入箱６に逆流しないようなダンボールなどである場合との互いに種類の異なる塵芥に応じて切換え又は設定変更される仕切板４１、押込板４２および回転板４７の動作について説明する。
【００３８】
先ず、塵芥積込時、塵芥投入箱６の貯留室４６に投入口１１から投入されて塵芥収容箱４に押し込まれる塵芥Ｇが塵芥投入箱６に逆流するようなプラスチック空容器、空びん・空缶類などである場合、切換スイッチの切換えにより、仕切板４１を前側の逆戻り防止位置（図に示す二点鎖線位置）まで進出させ、回転板４７を上方位置まで正回転動作させてから対応位置まで逆回転動作させるように設定する。
【００３９】
具体的には、塵芥収容箱４に押し込まれる塵芥Ｇがプラスチック空容器、空びん・空缶類などである場合、図５に示すように、押込シリンダ４５の伸長作動により後方から前方へ揺動して押込動作する押込板４２と、上方位置まで正回転して予圧縮動作する回転板４７との間で塵芥Ｇを予圧縮して互いに絡み合わせ、この絡み合った塵芥Ｇを、図６に示すように、回転板４７を逆回転動作させて対応位置に停止させたときに、図７に示すように、前方への押込動作を継続する押込板４２により塵芥収容箱４内に押し込む。このとき、図８にも示すように、逆戻り防止位置まで進出させた仕切板４１によって仕切板４１と対向する塵芥Ｇの対向面Ｇａを排出板２６下部の傾斜面に対して安息角αに傾斜させるとともに、排出板２６と仕切板４１との間を掛け渡すように押込動作させる押込板４２と対向する塵芥Ｇの押込面Ｇｂにその押込板４２によるブリッジ現象を生じさせる。これにより、押込板４２が後方へ揺動しても、塵芥Ｇの対向面Ｇａおよび押込面Ｇｂが安定状態に保持されることになり、押込板４２と回転板４７との間での予圧縮による塵芥Ｇ同士の絡み合いと相俟って塵芥Ｇの塵芥投入箱６への逆流を確実に防止することができる。しかも、押込板４２と回転板４７との間での予圧縮によって、塵芥収容箱４内へのプラスチック空容器、空びん・空缶類などの塵芥Ｇの積込量を大幅に増加させることができる。
【００４０】
一方、塵芥積込時、塵芥投入箱６の貯留室１２に投入口１１から投入されて塵芥収容箱４に押し込まれる塵芥が塵芥投入箱６に逆流しないようなダンボールなどである場合、切換スイッチの切換えにより、仕切板４１を後側の通常位置まで退去させると共に、回転板４７を正回転停止動作させるように設定する。これにより、塵芥積込口４ａ下部の開口面は大きく開放しており、回転板４７によってダンボールなどのような非常に嵩張る塵芥が掻き集め動作により前方へ移動しても通常位置まで後方に退去している仕切板４１にダンボールが干渉することがなく、通常通り対応位置に停止する回転板４７に対して押込シリンダ４５の伸長作動により後方から前方へ揺動する押込板４２の押込動作により、塵芥を確実に塵芥収容箱４内に押し込むことができる。
【００４１】
尚、本発明は上記各実施の形態に限定されるものではなく、その他種々の変形例を包含するものである。例えば、上記第１の実施の形態では、可動仕切板３１を伸縮シリンダ３２により昇降動作させたが、索条部材や簡単なリンクなどによって可動仕切板が昇降動作するようにしても良いのは勿論である。
【００４２】
また、参考例では、切換スイッチの切換えにより、仕切板４１を逆戻り防止位置に進出させるとともに、回転板４７を上方位置まで予圧縮動作させたのち対応位置まで逆回転動作させるように設定したが、切換スイッチの切換えにより、仕切板を逆戻り防止位置に進出させるか、又は、回転板を上方位置まで予圧縮動作させたのち対応位置まで逆回転動作させるように設定するかのいずれか一方が選択されるようにしても良い。
【００４３】
さらに、参考例では、上昇位置まで予圧縮動作する回転板４７と押込板４２の押込動作のみで塵芥Ｇを予圧縮したが、図１０に示すように、回転板４７の予圧縮動作時に押込板４２との間において塵芥Ｇを予圧縮する押込板４２および回転板４７の塵芥予圧縮面６０ａ，６０ｂのうち、少なくとも一方（図では押込板４２の塵芥予圧縮面６０ａ）に他方（図では回転板４７の塵芥予圧縮面６０ｂ側）に向かって円錐状に突出する複数の突起６１が設けられるようにしても良い。この場合、予圧縮時にプラスチック空容器や空びん・空缶類などの塵芥Ｇを確実かつ効率良く圧縮でき、塵芥収容箱４へのプラスチック空容器や空びん・空缶類などの塵芥Ｇの積込量を飛躍的に増加させることができる。
【００４４】
しかも、上記各実施の形態では、圧縮した塵芥を介した押込板２１（４２）の押込動作時の押込力により排出板２６を前方へ移動させるように構成したが、この排出板の前方移動が塵芥の種類に応じた押込力で行われるようにしても良く、たとえば空びんなどそのままの形状でリサイクルされる塵芥では空びんなどを破砕しない程度の押込力で排出板が前方へ移動するようにしたり、空缶など全潰させたい塵芥では空缶が確実に全潰するような押込力で排出板が前方へ移動するようにしたりすれば良く、この場合、種類に応じた塵芥の回収を効率良く行うことができる。
【００４５】
さらにまた、参考例では、仕切板４１を軸５１を介してモータに回転一体に連結して車体前後方向に揺動するようにしたが、塵芥投入箱の左右の両側壁と仕切板の左右両端との間に連携される左右一対の伸縮シリンダ、又は左右の押込シリンダ間に位置する塵芥投入箱の天井面中央と仕切板の中央との間に連携される単一の伸縮シリンダにより、仕切板が車体前後方向に揺動するようにしても良い。
【００４６】
【発明の効果】
以上の如く、請求項１記載の発明における塵芥収集車によれば、可動仕切板の作動モードを、塵芥押込後の逆流を防止するよう昇降移動させる可動動作モードと、常に可動仕切板を上昇位置に停止させる停止モードとに塵芥の種類に応じて択一的に切換えるので、プラスチック空容器や空びん・空缶類などの逆流し易い塵芥の逆流を防止できる一方、塵芥積込口を大きく開放させて可動仕切板へのダンボールや粗大ゴミなどの嵩張る塵芥の干渉を防止し、塵芥の押込作業を円滑に行いかつ無駄な補強を廃止してコストダウンを図ることができる。しかも、互いに種類の異なる塵芥を可動仕切板のモード切換えにより単一の塵芥収集車により円滑に回収し、塵芥収集車の維持費および経費を大幅に節減させることができる。
【図面の簡単な説明】
【図１】  本発明の第１の実施形態に係る塵芥収集車の押込板を上昇位置において後方位置まで揺動させた状態での可動仕切板の動きを示す塵芥投入箱の縦断面図である。
【図２】  同可動板を後方位置のまま下降位置に下降させた状態での可動仕切板の動きを示す塵芥投入箱の縦断面図である。
【図３】  同可動板を下降位置において前方位置まで揺動させた状態での可動仕切板の動きを示す塵芥投入箱の縦断面図である。
【図４】  同可動板を前方位置のまま上昇位置に上昇させた状態での可動仕切板の動きを示す塵芥投入箱の縦断面図である。
【図５】  参考例に係る塵芥収集車の回転板および押込板による予圧縮状態を示す塵芥投入箱の縦断面図である。
【図６】  同回転板を対応位置に停止させた状態での押込板による押込動作を示す塵芥投入箱の縦断面図である。
【図７】  同押込板の押込状態を示す塵芥投入箱の縦断面図である。
【図８】  同押込板を前方位置まで揺動させた状態での回転板の後方への正回転作動を示す塵芥投入箱の縦断面図である。
【図９】  同回転板による塵芥の掻き集め動作を示す塵芥投入箱の縦断面図である。
【図１０】  参考例の変形例に係る図５相当図である。
【符号の説明】
１        塵芥収集車
２        シャーシフレーム（車体フレーム）
４        塵芥収容箱
４ａ      塵芥積込口
６        塵芥投入箱
１１        投入口
１３，４０      塵芥積込装置
１５        可動板
２１，４２      押込板
２６        排出板
２９        遮蔽板（仕切板）
３１        可動仕切板
３３        コントローラ（制御手段）
４１        仕切板
４７        回転板
４７ａ      回転軸（回転中心）
６０ａ，６０ｂ  塵芥予圧縮面
６１        突起
Ｇ        プラスチック容器、空びん・空缶類などの塵芥
Ｇａ      対向面
Ｇｂ      押込面
α        安息角
【図１】
0003660776.tif 000002
【図２】
0003660776.tif 000003
【図３】
0003660776.tif 000004
【図４】
0003660776.tif 000005
【図５】
0003660776.tif 000006
【図６】
0003660776.tif 000007
【図７】
0003660776.tif 000008
【図８】
0003660776.tif 000009
【図９】
0003660776.tif 000010
【図１０】
0003660776.tif 000011